(57)【要約】【課題】腕帯の腕への装着を容易化できる血圧計の提供。【解決手段】上腕へ挿入するための腕帯２からなる開口部３２と、上腕への挿入を補助する把持部３３とを有する測定ユニット３０と、測定ユニット３０とは分離して構成され、当該測定ユニット３０を保持する保持部３と、当該測定ユニット３０を制御する制御ユニットとを有する血圧計本体部１０とを備え、測定ユニット３０は、保持部３に保持されたときに、制御ユニットによる腕帯２の制御が可能なように、前記血圧計本体部に対して接続される。【選択図】      図１
2005245952.tif 000002
【特許請求の範囲】
【請求項１】
上腕へ挿入するための腕帯からなる開口部と、前記上腕への挿入を補助する把持部とを有する測定ユニットと、
前記測定ユニットとは分離して構成され、当該測定ユニットを保持する保持部と、当該測定ユニットを制御する制御ユニットとを有する血圧計本体部と、を備え、
前記測定ユニットは、前記保持部に保持されたときに、前記制御ユニットによる前記腕帯の制御が可能なように、前記血圧計本体部に対して接続されることを特徴とする血圧計。
【請求項２】
前記血圧計本体部は、前記把持部と係合する係合部を有し、前記測定ユニットが前記保持部に保持されるときに、前記把持部を前記係合部に係合させることにより、前記測定ユニットを前記保持部の所定位置に位置決めすることを特徴とする請求項１に記載の血圧計。
【請求項３】
前記制御ユニットは、被測定者ごとの識別情報、血圧測定日時情報、及び当該測定日時ごとの血圧値レンド情報を記憶する記憶部と、
前記情報を表示する表示部とを備えることを特徴とする請求項１又は２に記載の血圧計。
【発明の詳細な説明】
【技術分野】
【０００１】
本発明は、上腕へ挿入する腕帯が予め所定形状を有し、被測定者の上腕に腕帯を巻き付ける必要がなく、左右いずれの上腕でも血圧測定が可能な血圧計に関する。
【背景技術】
【０００２】
従来、病院などに据え付けられた腕挿入型血圧計は、被測定者の一方（例えば、利き腕ではない方）の上腕を腕帯で囲まれた開口部に挿入し、他方の手で測定開始スイッチなどの操作部を操作して血圧を測定する。しかし、上記他方の腕が不自由であると、操作が極めて困難となる。
【０００３】
また、腕帯を巻き付けるタイプの血圧計において、当該腕帯と血圧計本体部とを分離独立させたものがある（例えば、特許文献１，２参照）。
【特許文献１】特開平５−５６９３８号公報
【特許文献２】特開平５−１３７６９７号公報
【発明の開示】
【発明が解決しようとする課題】
【０００４】
しかし、上記特許文献１では、腕帯はポンプなどを含む重量物であるため、腕帯を腕に挿入するに手間がかかり、上記特許文献２では、片腕が不自由なときに腕帯を腕に巻き付けることが難しい。
【０００５】
本発明は、上記課題に鑑みてなされ、その目的は、使い勝手を向上させることにあり、特に、腕帯の腕への装着を容易にできる血圧計を提供することである。
【課題を解決するための手段】
【０００６】
上述の課題を解決し、目的を達成するために、本発明の血圧計は、上腕へ挿入するための腕帯からなる開口部と、前記上腕への挿入を補助する把持部とを有する測定ユニットと、前記測定ユニットとは分離して構成され、当該測定ユニットを保持する保持部と、当該測定ユニットを制御する制御ユニットとを有する血圧計本体部と、を備え、前記測定ユニットは、前記保持部に保持されたときに、前記制御ユニットによる前記腕帯の制御が可能なように、前記血圧計本体部に対して接続される。
【０００７】
また、好ましくは、前記血圧計本体部は、前記把持部と係合する係合部を有し、前記測定ユニットが前記保持部に保持されるときに、前記把持部を前記係合部に係合させることにより、前記測定ユニットを前記保持部の所定位置に位置決めする。
【０００８】
また、好ましくは、前記制御ユニットは、被測定者ごとの識別情報、血圧測定日時情報、及び当該測定日時ごとの血圧値レンド情報を記憶する記憶部と、前記情報を表示する表示部とを備える。
【発明の効果】
【０００９】
以上説明したように、本発明によれば、腕帯を有する測定ユニットを血圧計本体部から分離独立させたので、測定ユニットを軽量化でき、把持部を設けているので腕帯を腕に挿入する際の使い勝手が向上し、取り扱いが容易になる。
【００１０】
よって、予め腕帯を腕に挿入した状態で、血圧計本体部に装着するような使い方も可能となる。
【発明を実施するための最良の形態】
【００１１】
以下に、本発明の実施の形態について、添付図面を参照して詳細に説明する。
尚、以下に説明する実施の形態は、本発明の実現手段としての一例であり、本発明は、その趣旨を逸脱しない範囲で下記実施形態を修正又は変形したものに適用可能である。
【００１２】
図１は、本発明に係る実施形態の血圧計の斜視図であり、（ａ）はカフユニットを血圧計本体部に保持した状態、（ｂ）はカフユニットを血圧計本体部から取り外した状態をそれぞれ示している。図２は、アダプタの接続構造を拡大して示す図である。図３は、本発明に係る実施形態の血圧計の機能ブロック図である。
【００１３】
図１及び図３に示すように、本実施形態の血圧計１は、血圧測定時に上腕を圧迫する腕帯としてのカフ部２を有する測定ユニットとしてのカフユニット３０が、血圧計本体部１０の保持部３に対して分離独立して構成され、被測定者の上腕にカフ部２を巻き付ける必要がなく、左右いずれの上腕でも挿入が可能で、血圧測定が可能な血圧計である。血圧計本体部１０には、オン／オフスイッチなどの操作するための操作部４と、測定結果などを表示する表示部５とが設けられている。
【００１４】
カフユニット３０の円筒状の外形を有するハウジング３１には、被測定者の腕を挿入するための開口部３２が設けられており、この開口部３２の内周面に可撓性の布袋やゴム袋からなるカフ部２が設けられている。また、カフユニット３０には、被測定者の上腕の挿入を補助する把持部３３が設けられ、この把持部３３によりカフ部２への上腕の挿入が容易にできるように構成されている。
【００１５】
血圧計本体部１０の保持部３は、カフユニット３０のハウジング３１の略円筒状外形に合うような凹状曲面を有し、血圧計本体部１０の保持部３とハウジング３１の外周面３１ａとには、カフユニット３０が保持部３に保持されたときに、血圧計本体１０の制御ユニット２０によるカフ部２の膨張／収縮制御が可能なように、両者が機械的に接続されるアダプタ２３，３４が設けられている。また、血圧計本体部１０の保持部３とカフユニット３０のハウジング３１とが当接する部位に面ファスナーなどを設けることで、保持時の安定性が向上する。
【００１６】
上記カフユニット側の突出したパイプ状のエア接続用アダプタ３４はカフ部２の内部に連通し、血圧計本体側のエア接続用アダプタ２３は血圧計本体部１０の加圧エアポンプ２６に連通しており、上記アダプタ３４に嵌合するような穴部として形成されている。また、カフ部２と血圧計本体とを通信線１８を介して電気的に接続する電気的接続用アダプタ２３ａ，３４ａも併せて設けられている。そして、上記カフユニット側のアダプタ３４は、カフユニット３０を血圧計本体部１０の保持部３に保持するときに、腕の自重程度の押圧力で血圧計本体側のアダプタ２３に嵌合されて、適正なシール性を有する内部で連通された接続構造が実現される。両アダプタ２３，３４は樹脂などで構成され、図２に示すように、互いが当接する側面部に凹部又は凸部が形成され、端部にはゴムシール２３ｂが設けられており、これらが（カフユニット３０を保持部３に装着する際に腕の自重を受けて）係合することでシール性を保持した状態で密接して不用意に外れないように不図示のロック機構によりロックされる。よって、血圧計本体部１０には、カフユニット３０を保持部３から取り外すためのリリースレバー７が設けられている。
【００１７】
図３に示すように、血圧計本体部１０には制御ユニット２０が搭載されている。この制御ユニット２０は、電気的な構成要素として、同ユニットに電力を供給するＡＣ或いはＤＣ（電池）電源２１、制御ユニット２０の起動／停止を行うオン／オフスイッチや各種機能に関する操作を行うための操作部４、複数回分の血圧測定値などを記憶する不揮発性メモリなどの記憶部２２、最高／最低血圧測定値、脈拍、時刻などを表示する液晶表示器などの表示部５、パーソナルコンピュータ（ＰＣ）やプリンタなどの外部機器や、体温計、体重計、血糖値測定器、歩数計などの各測定機器に接続可能な外部接続部２４、を備え、これら各要素がマイクロコンピュータ２５に接続されている。上記マイクロコンピュータ２５には、ＣＰＵ、ＲＯＭ、ＲＡＭ、入出力インターフェース回路などが搭載されている。演算用クロック回路２５ａ、時計機能を有するクロック回路２５ｂも設けられている。更に、標準電波を受信するアンテナ、増幅や変調などの機能を持つ電波受信回路２５ｃを設けて、時刻を補正し、常に正しい時刻を表示するようにしてもよい。
【００１８】
更に、制御ユニット２０は、機械的な構成要素として、血圧測定開始時にカフ部２に加圧エアを送る加圧エアポンプ２６、加圧エアの圧力を一定圧或いは急速排気により調整する排気弁２７、カフの圧力変動から血管の振動を検知する圧力センサ２８、血流音を検知するマイク２９などを備える。なお、血圧測定は、オシロメトリック法やコロトコフ音法が適用可能であり、前者の方法に従う場合にはマイク２９及び電気的接続用アダプタ２３ａ，３４ａは不要である。後者の方法に従う場合、マイク２９はカフユニット３０に入らなければならないため、電気的接続用アダプタ２３ａ，３４ａが必要となる。
【００１９】
図１（ａ）に示すように、制御ユニット２０は、カフユニット３０が血圧計本体部１０に対して正しい位置に保持され、つまり両アダプタ２３，３４が接続された状態で、カフユニット３０に対して加圧エアを導入及び排気する血圧測定に係る制御が可能となる。制御ユニット２０のマイクロコンピュータ２５は、ＲＯＭに記憶された血圧測定プログラムの手順に従って、制御ユニット２０の操作部４からの操作信号を入力すると共に、センサ類２８，２９からの検知信号を入力して加圧エアポンプ２６や排気弁２７の駆動信号を出力する一方、圧力センサ２８やマイク２９の検知信号から血圧や脈拍などの測定値を決定し、これら測定値を記憶部２２に逐次記憶すると共に、表示信号に基づいて表示部５を表示制御する。
【００２０】
更に、制御ユニット２０は、外部接続部２４を介して各測定データをＰＣにダウンロードしたり、プリントアウトすることができる。
【００２１】
制御ユニット２０の記憶部２２には、図４に例示するように、制御ユニット２０や他の測定機器から取得した情報として、例えば、被測定者ごとの識別番号などの識別情報Ｄ１、測定日時情報Ｄ２、血圧値（最高値／最低値）Ｄ３、脈拍数Ｄ４、体温Ｄ５、体重Ｄ６、血糖値Ｄ７、服用した降圧剤や特定保険用食品などの薬剤名Ｄ８、運動量（歩数）Ｄ９などがトレンド情報として記憶されている。そして、表示部５には、一定期間（例えば、１年間）に蓄積された測定日時（或いは、朝、昼、晩）ごとのトレンド情報がグラフなどで色分けされて表示される。
【００２２】
上記構成において、カフユニット３０を血圧計本体部１０から取り外すことができるように分離独立させたので、カフユニットを軽量化できる。また、カフユニットに把持部を設けているので腕の挿入がより簡単になる。
【００２３】
更に、予めカフユニット３０を血圧計本体部１０に装着した状態で上腕を挿入するような使い方も可能となり、カフユニット３０を片腕で挿入することができる。また、血圧計本体部１０に、測定結果を血圧手帳などにプリントアウトするためのプリンタや、血圧手帳やメモリーカードなどに血圧値のトレンド情報を読取り／書込みする機能を設けてもよい。
［変形例］
図５は、本発明に係る実施形態の変形例の血圧計の斜視図であり、（ａ）はカフユニットを血圧計本体部から取り外した状態、（ｂ）はカフユニットを血圧計本体部に保持した状態をそれぞれ示している。
【００２４】
図１に示す構成と異なる点は、図５に示すように、血圧計本体部１０のハウジング１１を、カフユニット３０の外形を取り囲むような開口部１１ａを有する形状とし、この開口部１１ａの一部にカフユニット３０の把持部３３が係合する溝部１１ｂを設けたところにある。また、この変形例では、被測定者の手首から上腕までを保持し、底面Ａから所定角（例えば、１０〜３０°）傾斜したアームレスト１２を血圧計本体部１０から延設している。なお、このアームレスト１２は、好ましくは血圧計本体部１０に対して着脱自在或いは折り畳み可能に構成されている。
【００２５】
上記構成においては、把持部３３は、カフユニット３０を開口部１１ａに位置決めする機能を有し、カフユニット３０の把持部３３を溝部１１ｂに係合させながら開口部１１ａに挿入、保持させることによって、カフユニット３０を血圧計本体部１０に対して正確且つ容易に位置決めすることができる。
【００２６】
その他の構成については、図１及び図２と同一の機能を有する要素には同一の番号を付して説明を省略する。
［他の実施形態］
図６は、本発明に係る他の実施形態の血圧計の斜視図である。図７は、本発明に係る他の実施形態の血圧計の機能ブロック図である。
【００２７】
図１に示す構成と異なる点は、図６及び図７に示すように、カフユニット３０に操作部３５や表示部３６を設け、このカフユニット３０を血圧計本体部１０に対して電気的接続用アダプタ２３ａ，３４ａで電気的に接続可能としたところにある。なお、オシロメトリック法による血圧測定を行う場合、マイク２９は不要である。
【００２８】
この構成では、制御ユニット２０のマイクロコンピュータ２５がカフユニット３０の操作部３５や表示部３６に対して通信線１８を介して通信可能となり、図１において血圧計本体部１０の操作部や表示部が設けられていたスペースに、測定結果を血圧手帳などにプリントアウトするためのプリンタ１６や、被測定者のトレンド情報などが書き込まれた血圧手帳やメモリカード３８などを光学的或いは磁気的に読取り／書込みするための読取／書込部１７を設けることができ、多機能化が可能となる。
【００２９】
その他の構成については、図１及び図２と同一の機能を有する要素には同一の番号を付して説明を省略する。
【図面の簡単な説明】
【００３０】
【図１】本発明に係る実施形態の血圧計の斜視図であり、（ａ）はカフユニットを血圧計本体部に保持した状態、（ｂ）はカフユニットを血圧計本体部から取り外した状態をそれぞれ示す図である。
【図２】アダプタの接続構造を拡大して示す図である。
【図３】本発明に係る実施形態の機能ブロック図である。
【図４】記憶部に記憶した情報を例示する図である。
【図５】本発明に係る他の実施形態の血圧計の斜視図である。
【図６】本発明に係る他の実施形態の血圧計の斜視図である。
【図７】本発明に係る他の実施形態の血圧計の機能ブロック図である。
【符号の説明】
【００３１】
１  血圧計
２  カフ部
３  保持部
４，３５  操作部
５，３６  表示部
７  リリースレバー
１０  血圧計本体部
１１  ハウジング
１１ａ  開口部
１１ｂ  溝部
１２  アームレスト
１６  プリンタ
１７  読取／書込部
１８  通信線
２０  制御ユニット
２１  電源
２２  記憶部
２３，３４  エア接続用アダプタ
２３ａ，３４ａ  電気的接続用アダプタ
２３ｂ  ゴムシール
２４  外部接続部
２５  マイクロコンピュータ
２５ａ  演算用クロック回路
２５ｂ  時計用クロック回路
２５ｃ  電波受信回路
２６  加圧エアポンプ
２７  排気弁
２８  圧力センサ
２９  マイク
３０  カフユニット
３１  ハウジング
３２  開口部
３３  把持部
３８  血圧手帳やカード
【図１】
2005245952.tif 000003
【図２】
2005245952.tif 000004
【図３】
2005245952.tif 000005
【図４】
2005245952.tif 000006
【図５】
2005245952.tif 000007
【図６】
2005245952.tif 000008
【図７】
2005245952.tif 000009